【事件の表示】
　商願２０１７−１６８９５５拒絶査定不服審判事件について、次のとおり審決する。
【結　論】
　原査定を取り消す。
　本願商標は、登録すべきものとする。
【理　由】
　１　本願商標
　本願商標は、別掲１のとおりの構成よりなり、第３５類「化粧品及びせっけん類の小売又は卸売の業務において行われる顧客に対する便益の提供」を指定役務として、平成２９年１２月２６日に登録出願されたものである。
　２　引用商標
　原査定において、本願商標が商標法第４条第１項第１１号に該当するとして、本願の拒絶の理由に引用した登録商標は、以下に掲げるとおりであり、現に有効に存続しているものである。
（１）登録第５０２００４５号商標（以下「引用商標１」という。）
　商標の構成：「ビューティーエコロジー」
　登録出願日：平成１８年４月２０日
　設定登録日：平成１９年１月１９日（存続期間の更新登録日：平成２８年１０月２５日）
　指定商品　：第３類「せっけん類，香料類，化粧品，つけづめ，つけまつ毛，かつら装着用接着剤，つけまつ毛用接着剤，洗濯用でん粉のり，洗濯用ふのり，歯磨き，家庭用帯電防止剤，家庭用脱脂剤，さび除去剤，染み抜きベンジン，洗濯用柔軟剤，洗濯用漂白剤，つや出し剤，研磨紙，研磨布，研磨用砂，人造軽石，つや出し紙，つや出し布，靴クリーム，靴墨，塗料用剥離剤」及び第２９類に属する商標登録原簿記載のとおりの商品
（２）登録第５０２００４６号商標（以下「引用商標２」という。）
　商標の構成：別掲２のとおり
　登録出願日：平成１８年４月２０日
　設定登録日：平成１９年１月１９日（存続期間の更新登録日：平成２８年１０月２５日）
　指定商品　：第３類「せっけん類，香料類，化粧品，つけづめ，つけまつ毛，かつら装着用接着剤，つけまつ毛用接着剤，洗濯用でん粉のり，洗濯用ふのり，歯磨き，家庭用帯電防止剤，家庭用脱脂剤，さび除去剤，染み抜きベンジン，洗濯用柔軟剤，洗濯用漂白剤，つや出し剤，研磨紙，研磨布，研磨用砂，人造軽石，つや出し紙，つや出し布，靴クリーム，靴墨，塗料用剥離剤」及び第２９類に属する商標登録原簿記載のとおりの商品
　以下、引用商標１と引用商標２をまとめていうときは、「引用商標」という。
　３　原査定の拒絶の理由の要旨
　原査定は、本願商標の構成中「Ｂｅａｕｔｙ×Ｅｃｏｌｏｇｙ」の文字部分を分離抽出し、これと引用商標が類似する商標であるから、本願商標が商標法第４条第１項第１１号に該当するとしたものである。
　４　当審の判断
（１）本願商標について
　本願商標は、別掲１のとおり、青緑色の略円形の太線（その略左側部分には内側及び外側にやや突出する同色の装飾が付されている。）を外縁とした青緑色を基調とする図形からなる部分（以下「図形部分」という。）と、当該外縁の略右上側部分の外側かつ近傍に当該外縁を構成する略円形の太線に沿って円弧状に配置された「Ｂｅａｕｔｙ×Ｅｃｏｌｏｇｙ」の青緑色の文字及び記号からなる部分（以下「文字部分」という。）からなる結合商標であり、図形部分が、本願商標の面積のうち、大部分を占めているものである。
　そして、文字部分は、上記のとおり、図形部分の外縁の外側かつ近傍に当該外縁を構成する略円形の太線に沿って円弧状に配置されていることもあって、図形部分に対しバランス良く配置されているとの印象を与えるものである。さらに、文字部分の色と図形部分の基調の色が青緑色で共通していることを併せ考慮すれば、本願商標は、構成全体として、外観上まとまりよく一体的に表されているといえる。
　そして、文字部分を構成する「Ｂｅａｕｔｙ」及び「Ｅｃｏｌｏｇｙ」の各文字は、それぞれ「美」及び「環境保護」の意味を有し、「ビューティー」及び「エコロジー」と表音される英語として広く知られているものである（広辞苑第七版（株式会社岩波書店発行））。また、同部分の「×」の記号は、英語読みで「バイ」と称呼され得るとしても、乗算記号として使用されていない場合においてまで、常に「バイ」の称呼が生じるとは言い難い。
　そうすると、本願商標は、その構成中、図形部分からは、特定の称呼及び観念が生じないが、文字部分からは、「ビューティーバイエコロジー」又は「ビューティーエコロジー」の称呼が生じ、「美・環境保護」程の観念が生じるとみるのが相当である。
（２）引用商標について
　ア　引用商標１
　引用商標１は、上記２（１）のとおり、「ビューティーエコロジー」の片仮名を横書きしてなるものであり、「ビューティーエコロジー」との称呼が生じる。そして、「ビューティー」と「エコロジー」の語の意味は上記（１）のとおりであるから、引用商標１からは、「美と環境保護」程の観念が生じる。
　イ　引用商標２
　引用商標２は、別掲２のとおり、「ビューティーエコロジー」の片仮名を横書きしてなる文字部分と、その左側に配された図形部分とからなり、当該図形部分は、濃い青色の円の下に濃い緑色からなる複数の略半円状図形を配し、さらにその下方に濃い緑色の小さい円を配してなるものである。そして、当該文字部分と当該図形部分とは、重なること無く間隔を空けて配置されており、これを常に一体不可分のものとして把握しなければならない特別の事情は見いだせず、それぞれが独立して自他商品の識別機能を果たし得るものというべきである。
　そして、引用商標２の構成中、図形部分からは特定の称呼及び観念は生じないが、文字部分からは、上記アと同様に、「ビューティーエコロジー」との称呼及び「美と環境保護」程の観念が生じる。
（３）本願商標と引用商標の類否について
　ア　引用商標１について
　本願商標と引用商標１とを対比する。
　外観について、本願商標と引用商標１とは、本願商標の面積の大部分を占める図形部分の有無で異なる上、本願商標の文字部分は欧文字と記号との結合からなるのに対し、引用商標１は片仮名から構成されている点、また、両者の文字の配列方向が円弧状か横方向か、色が青緑色かそうでないか、という差異点を有することから、外観上、顕著に相違するものである。
　称呼について、本願商標から生じる「ビューティーバイエコロジー」及び「ビューティーエコロジー」と、引用商標１から生じる「ビューティーエコロジー」とは、構成音数等の違いにより容易に聴別できる場合と互いに称呼を共通にする場合とがあるといえる。
　観念について、本願商標から生じる「美・環境保護」と引用商標１から生じる「美と環境保護」とは、その意味合いが類似しているといえる。
　そうすると、本願商標と引用商標１とは、観念において類似し、称呼において本願商標の複数ある称呼の１つで共通する場合があるとしても、上記のとおり、外観においては顕著に相違するものであるから、その外観、記憶、連想等を総合して全体的に考察すれば、両商標は、商品役務の出所について混同を生ずるおそれのない、互いに非類似の商標というべきである。
　イ　引用商標２について
　本願商標と引用商標２の要部の一である文字部分とを対比すると、上記アと同様に、観念において類似し、称呼において本願商標の複数ある称呼の１つで共通する場合があるとしても、外観においては顕著に相違するものであるから、両商標は、互いに非類似の商標というべきであり、その他、本願商標と引用商標２とが類似する商標であるとする理由は、見いだせない。
（４）まとめ
　以上のとおり、本願商標と引用商標とは非類似の商標というべきであるから、その指定商品役務について対比するまでもなく、本願商標が商標法第４条第１項第１１号に該当するとして本願を拒絶した原査定は取消しを免れない。
　その他、本願について拒絶の理由を発見しない。
　よって、結論のとおり審決する。